(57)【要約】【課題】動き適応ＹＣ分離装置において、Ｓ／Ｎが劣化した信号に対しては静止画領域にて動き検出装置がノイズにより誤動作し、フレーム間ＹＣ分離によるＳ／Ｎ改善が図れない。特に低周波ビートなどが重畳された場合、そのノイズ検出も困難である。【解決手段】水平ブランキング期間のライン間差分信号の大きさによりノイズを検出し、その検出結果により動き検出装置を制御することにより、低周波のノイズに対して効果的にフレーム間ＹＣ分離信号を適応させることができ、Ｓ／Ｎ改善を図ることができる。【選択図】  図１
2004235714.tif 000002
【特許請求の範囲】
【請求項１】
入力された複合映像信号に対しフレーム間の動きを検出しその結果により、フレーム間の相関を利用せずＹＣ分離した信号と、フレーム間の相関を利用してＹＣ分離した信号の少なくとも２つを適応的に切り替えるＹＣ分離装置において、前記複合映像信号および前記複合映像信号をｎ水平期間（ｎは自然数）遅延させた信号を入力とし、その２つの複合映像信号の水平同期期間の差分の大きさからノイズレベルを検出し出力するラインノイズ検出装置と、前記複合映像信号および前記複合映像信号を１フレーム期間遅延させた信号を入力とし、その差分を出力するフレーム差分検出装置と、前記フレーム差分検出装置の出力信号および前記ラインノイズ検出装置の出力信号を入力とし、前記ラインノイズ検出装置の出力信号が設定値より大であれば、前記フレーム差分検出装置の出力信号の大きさを検出しその結果を出力する動き制御装置と、前記フレーム間の相関を利用せずＹＣ分離した信号および前記フレーム間の相関を利用してＹＣ分離した信号を入力とし、前記動き制御装置の出力により出力信号を切り替える切替え装置とを備えたことを特徴とするＹＣ分離装置。
【請求項２】
請求項１に記載のラインノイズ検出装置は、前記複合映像信号および２×ｎ（ＰＡＬは４×ｎ）（ｎは自然数）水平期間遅延させた信号を入力とし、その２つの複合映像信号のバースト信号まで含めた水平ブランキング期間の差分の大きさからノイズレベルを検出し出力することを特徴とする請求項１に記載のＹＣ分離装置。
【請求項３】
請求項１に記載のラインノイズ検出装置は、複合映像信号および複合映像信号をｎ水平期間遅延させた信号を入力とし、その差分の大きさを出力する差分検出装置と、水平同期信号を入力とし、前記複合映像信号の水平同期期間に論理“１”を出力する水平同期期間パルス発生装置と、前記差分検出装置の出力信号および前記水平同期期間パルス発生装置の出力信号を入力とし、前記水平同期期間パルス発生装置の出力信号が論理“１”のときのみ信号を通過させるゲート装置と、前記ゲート装置の出力信号を入力とし、第１の設定値と比較しその結果を出力する第１の比較装置と、前記比較装置の出力を入力とし、１垂直期間その入力を累積し出力する垂直期間累積装置と、前記垂直累積装置の出力を入力とし、第２の設定値と比較しその結果を出力する第２の比較装置とを備えることを特徴とする請求項１に記載のＹＣ分離装置。
【請求項４】
請求項２に記載のラインノイズ検出装置は、複合映像信号および複合映像信号を２×ｎ（ＰＡＬは４×ｎ）水平期間遅延させた信号を入力とし、その差分の大きさを出力する差分検出装置と、水平同期信号を入力とし、前記複合映像信号のバースト信号重畳期間を含めた水平同期期間に論理“１”を出力する水平ブランキングパルス発生装置と、前記差分検出装置の出力信号および前記水平ブランキングパルス発生装置の出力信号を入力とし、前記水平ブランキングパルス発生装置の出力信号が論理“１”のときのみ信号を通過させるゲート装置と、前記ゲート装置の出力信号を入力とし、第１の設定値と比較しその結果を出力する第１の比較装置と、前記比較装置の出力を入力とし、１垂直期間その入力を累積し出力する垂直期間累積装置と、前記垂直累積装置の出力を入力とし、第２の設定値と比較しその結果を出力する第２の比較装置とを備えることを特徴とする請求項２に記載のＹＣ分離装置。
【請求項５】
請求項１に記載の動き制御装置は、前記フレーム差分検出装置の出力信号を入力とし、前記ラインノイズ検出装置の出力信号の大きさに応じてコアリング量を可変し前記フレーム差分検出装置の出力信号に対しコアリングをかけるコアリング装置を備え、前記ラインノイズ検出装置の出力信号が設定値より大であれば、前記フレーム差分検出装置の出力信号の大きさを検出しその結果を出力することを特徴とする請求項１に記載のＹＣ分離装置。
【請求項６】
請求項１に記載の動き制御装置は、前記フレーム差分検出装置の出力信号を入力とし、前記ラインノイズ検出装置の出力信号の大きさに応じて前記フレーム差分検出装置の出力信号の大きさを可変するアンプ装置を備え、前記ラインノイズ検出装置の出力信号が設定値より大であれば、前記フレーム差分検出装置の出力信号の大きさを検出しその結果を出力することを特徴とする請求項１に記載のＹＣ分離装置。
【請求項７】
請求項１に記載の動き制御装置は、前記フレーム差分検出装置の出力信号を入力とし、前記ラインノイズ検出装置の出力信号の大きさに応じて前記フレーム差分検出装置の出力信号の大きさを検出する比較レベルを可変して、その結果を出力することを特徴とする請求項１に記載のＹＣ分離装置。
【発明の詳細な説明】
【０００１】
【発明の属する技術分野】
本発明は、輝度信号と色信号とが混合されている複合映像信号から輝度信号と色信号とを分離するＹＣ分離装置に関するものである。
【０００２】
【従来の技術】
テレビジョン受像機やビデオテープレコーダでは、複合映像信号から輝度信号および色信号を分離するＹＣ分離（輝度信号／色信号分離）を行っている。この場合、画質を向上させるために、動きのない映像（以下、静止画と称す）についてはフレーム間のＹＣ分離を行い、動きのある映像（以下、動画と称す）についてはフィールド内のＹＣ分離を行う３次元処理が採用される。このような３次元処理で映像の動きの有無を検出するためには、映像の動き検出回路が用いられる。（例えば特許文献１参照）。
【０００３】
【特許文献１】
特開平４−２６０２９４号公報
【０００４】
【発明が解決しようとする課題】
しかしながら上記のような構成では、Ｓ／Ｎの劣化した信号が入力されると静止画においてノイズを動きとして誤判定することがある。フレーム間のＹＣ分離についてはそれ自体にフレームに非相関なノイズに対しノイズリダクション効果があるが、動きと誤判別してしまうとそのノイズリダクション効果がなくなってしまい、Ｓ／Ｎの良い輝度信号および色信号を得ることができなくなる。また、Ｓ／Ｎが劣化した信号であるかどうかを判別する方法として一般的なノイズ検出方法を図８に記載している。簡単に説明すると複合映像信号の垂直ブランキングの水平同期信号しか存在しない期間のＡＣ成分をノイズとみなし、その成分を累積してノイズ量としている。この方法ではノイズ成分は必ずハイパスフィルタに通るため、ビートなどの比較的低い周波数のノイズが検出されにくいという問題があった。
【０００５】
【課題を解決するための手段】
上記問題点を解決するために本発明のＹＣ分離装置は、入力された複合映像信号に対しフレーム間の動きを検出しその結果により、フレーム間の相関を利用せずＹＣ分離した信号と、フレーム間の相関を利用してＹＣ分離した信号の少なくとも２つを適応的に切り替えるＹＣ分離装置において、前記入力信号および前記入力信号を自然数ｎ水平期間遅延させた信号を入力とし、その２入力信号の水平同期期間の差分の大きさを検出し出力することができるラインノイズ検出装置と、前記入力信号および前記入力信号を１フレーム期間遅延させた信号を入力とし、その差分を出力するフレーム差分検出装置と、前記フレーム差分検出装置の出力信号および前記ラインノイズ検出装置の出力信号を入力とし、前記ラインノイズ検出装置の出力信号が設定値より大であれば、出力信号に対する前記フレーム差分検出装置の出力信号の影響を小にし、その前記フレーム差分検出装置の出力信号の大きさを検出しその結果を出力することができる動き制御装置と、前記動き制御装置の出力および前記フレーム間の相関を利用せずＹＣ分離した信号および前記フレーム間の相関を利用してＹＣ分離した信号を入力とし、前記動き制御装置の出力により出力信号を切り替える切替え装置を備えている。
【０００６】
この構成によって、ビート妨害のような周波数の低いノイズが重畳されているようなＳ／Ｎの劣化した信号に対してもＳ／Ｎ改善効果の高いＹＣ分離信号を提供することができる。
【０００７】
【発明の実施の形態】
本発明の請求項１に記載の発明は、入力された複合映像信号に対しフレーム間の動きを検出しその結果により、フレーム間の相関を利用せずＹＣ分離した信号と、フレーム間の相関を利用してＹＣ分離した信号の少なくとも２つを適応的に切り替えるＹＣ分離装置において、前記複合映像信号および前記複合映像信号をｎ水平期間（ｎは自然数）遅延させた信号を入力とし、その２つの複合映像信号の水平同期期間の差分の大きさからノイズレベルを検出し出力するラインノイズ検出装置と、前記複合映像信号および前記複合映像信号を１フレーム期間遅延させた信号を入力とし、その差分を出力するフレーム差分検出装置と、前記フレーム差分検出装置の出力信号および前記ラインノイズ検出装置の出力信号を入力とし、前記ラインノイズ検出装置の出力信号が設定値より大であれば、前記フレーム差分検出装置の出力信号の大きさを検出しその結果を出力する動き制御装置と、前記フレーム間の相関を利用せずＹＣ分離した信号および前記フレーム間の相関を利用してＹＣ分離した信号を入力とし、前記動き制御装置の出力により出力信号を切り替える切替え装置とを備えたものであり、ノイズが重畳された複合映像信号に対しても誤動作が少なくＳ／Ｎの良いＹＣ分離を行うことができ、ノイズ検出量に応じて動き検出結果を制御し、Ｓ／Ｎの劣化した信号においてもノイズに左右されることなくフレーム間ＹＣ分離信号を出力し、Ｓ／Ｎの良いＹＣ信号を提供できるという作用を有する。
【０００８】
本発明の請求項２に記載の発明は、請求項１に記載のラインノイズ検出装置において、前記複合映像信号および２×ｎ（ＰＡＬは４×ｎ）（ｎは自然数）水平期間遅延させた信号を入力とし、その２つの複合映像信号のバースト信号まで含めた水平ブランキング期間の差分の大きさからノイズレベルを検出し出力するものであり、ノイズが重畳された複合映像信号に対しても誤動作が少なくＳ／Ｎの良いＹＣ分離を行うことができ、ノイズ検出量に応じて動き検出結果を制御し、Ｓ／Ｎの劣化した信号においてもノイズに左右されることなくフレーム間ＹＣ分離信号を出力し、Ｓ／Ｎの良いＹＣ信号を提供できるという作用を有する。
【０００９】
本発明の請求項３に記載の発明は、請求項１に記載のラインノイズ検出装置において、複合映像信号および複合映像信号をｎ水平期間遅延させた信号を入力とし、その差分の大きさを出力する差分検出装置と、水平同期信号を入力とし、前記複合映像信号の水平同期期間に論理“１”を出力する水平同期期間パルス発生装置と、前記差分検出装置の出力信号および前記水平同期期間パルス発生装置の出力信号を入力とし、前記水平同期期間パルス発生装置の出力信号が論理“１”のときのみ信号を通過させるゲート装置と、前記ゲート装置の出力信号を入力とし、第１の設定値と比較しその結果を出力する第１の比較装置と、前記比較装置の出力を入力とし、１垂直期間その入力を累積し出力する垂直期間累積装置と、前記垂直累積装置の出力を入力とし、第２の設定値と比較しその結果を出力する第２の比較装置とを備えたものであり、ノイズ検出量に応じて動き検出結果を制御し、Ｓ／Ｎの劣化した信号においてもノイズに左右されることなくフレーム間ＹＣ分離信号を出力し、Ｓ／Ｎの良いＹＣ信号を提供できるという作用を有する。
本発明の請求項４に記載の発明は、請求項２に記載のラインノイズ検出装置において、複合映像信号および複合映像信号を２×ｎ（ＰＡＬは４×ｎ）水平期間遅延させた信号を入力とし、その差分の大きさを出力する差分検出装置と、水平同期信号を入力とし、前記複合映像信号のバースト信号重畳期間を含めた水平同期期間に論理“１”を出力する水平ブランキングパルス発生装置と、前記差分検出装置の出力信号および前記水平ブランキングパルス発生装置の出力信号を入力とし、前記水平ブランキングパルス発生装置の出力信号が論理“１”のときのみ信号を通過させるゲート装置と、前記ゲート装置の出力信号を入力とし、第１の設定値と比較しその結果を出力する第１の比較装置と、前記比較装置の出力を入力とし、１垂直期間その入力を累積し出力する垂直期間累積装置と、前記垂直累積装置の出力を入力とし、第２の設定値と比較しその結果を出力する第２の比較装置とを備えたものであり、ノイズ検出量に応じて動き検出結果を制御し、Ｓ／Ｎの劣化した信号においてもノイズに左右されることなくフレーム間ＹＣ分離信号を出力し、Ｓ／Ｎの良いＹＣ信号を提供できるという作用を有する。
【００１０】
本発明の請求項５に記載の発明は、請求項１に記載の動き制御装置において、前記フレーム差分検出装置の出力信号を入力とし、前記ラインノイズ検出装置の出力信号の大きさに応じてコアリング量を可変し前記フレーム差分検出装置の出力信号に対しコアリングをかけるコアリング装置を備え、前記ラインノイズ検出装置の出力信号が設定値より大であれば、前記フレーム差分検出装置の出力信号の大きさを検出しその結果を出力するように構成し、ノイズ検出量に応じて動き検出結果を制御し、Ｓ／Ｎの劣化した信号においてもノイズに左右されることなくフレーム間ＹＣ分離信号を出力し、Ｓ／Ｎの良いＹＣ信号を提供できるという作用を有する。
【００１１】
本発明の請求項６に記載の発明は、請求項１に記載の動き制御装置において、前記フレーム差分検出装置の出力信号を入力とし、前記ラインノイズ検出装置の出力信号の大きさに応じて前記フレーム差分検出装置の出力信号の大きさを可変するアンプ装置を備え、前記ラインノイズ検出装置の出力信号が設定値より大であれば、前記フレーム差分検出装置の出力信号の大きさを検出しその結果を出力するように構成し、ノイズ検出量に応じて動き検出結果を制御し、Ｓ／Ｎの劣化した信号においてもノイズに左右されることなくフレーム間ＹＣ分離信号を出力し、Ｓ／Ｎの良いＹＣ信号を提供できるという作用を有する。
【００１２】
本発明の請求項７に記載の発明は、請求項１に記載の動き制御装置において、前記フレーム差分検出装置の出力信号を入力とし、前記ラインノイズ検出装置の出力信号の大きさに応じて前記フレーム差分検出装置の出力信号の大きさを検出する比較レベルを可変して、その結果を出力するように構成し、ノイズ検出量に応じて動き検出結果を制御し、Ｓ／Ｎの劣化した信号においてもノイズに左右されることなくフレーム間ＹＣ分離信号を出力し、Ｓ／Ｎの良いＹＣ信号を提供できるという作用を有する。
【００１３】
以下本発明の実施の形態について、図面を参照しながら説明する。
【００１４】
（実施の形態１）
図１は本発明の第１の実施例におけるＹＣ分離装置のブロック構成図を示すものである。
このように構成されたＹＣ分離装置について、以下図１を用いてその動作を説明する。
図１においては、自然数ｎが１であるときの具体例である。また、ライン間ＹＣ分離装置は３ラインの相関を用いるものを例として用いる。
【００１５】
入力端子１０Ａから入力された入力複合映像信号１０１は、１Ｈ遅延装置１０Ｂにより１Ｈ遅延信号１０２を得る。また１０２が１Ｈ遅延装置１０Ｃに入力され２Ｈ遅延信号１０３を得る。また、１０２は１フレーム遅延装置１０Ｄに入力され１フレーム遅延信号１０４を得る。１０１、１０２、１０３がライン間ＹＣ分離装置１０Ｅに入力されライン間ＹＣ分離信号１０５を得る。また、１０２、１０４がフレーム間ＹＣ分離装置１０Ｇに入力されフレーム間ＹＣ分離信号１０７を得る。この信号は前述したようにフレームに非相関なノイズ成分が抑圧され、Ｓ／Ｎの良いＹＣ信号となっている。並行して、１０１、１０２がラインノイズ検出装置１０Ｆに入力され、ライン間の同期信号期間の差分の大きさを検出している。通常、同期信号期間は、その映像内容にかかわらず常に一定の信号を送信するものであり、そのライン間の差分はすべて何らかのノイズとみなすことができる。この信号には全周波数帯域のノイズが存在し、従来検出できなかった低域ノイズも検出できる。その差分の大きさを１０６として出力する。また、１０２、１０４はフレーム差分検出装置１０Ｈに入力され、その差分の大きさを１０８として出力する。通常、この信号の大きさにより、小さければ静止画、大きければ動画と判定され、動画の場合は１０５を、静止画の場合は１０７を選択装置１０Ｊにより選択し、出力することで動きに適応したＹＣ分離を可能にしている。しかし、１０Ｈの出力信号内には、Ｓ／Ｎが劣化した信号の場合、必ずノイズ成分を含んでおり、そのノイズが静止画と動画の判別レベルを超えるとノイズ成分のある静止画領域は動画となり、フレーム間ＹＣ分離によるＳ／Ｎ改善効果がなくなってしまう。このため、１０Ｆより得られたノイズの大きさが大きいとき１０８のレベルを小さくすることにより静止画が動画と判別されるのを防ぎ、Ｓ／Ｎ改善効果の高いＹＣ分離信号１１０を得ることができる。
【００１６】
（実施の形態２）
図２は本発明の第２の実施例におけるＹＣ分離装置のブロック構成図を示すものである。
このように構成されたＹＣ分離装置について、以下図２を用いてその動作を説明する。
図２においては、自然数ｎが１であるときの具体例である。また、ライン間ＹＣ分離装置は３ラインの相関を用いるものを例として用いる。
【００１７】
入力端子２０Ａから入力された入力複合映像信号２０１は、１Ｈ遅延装置２０Ｂにより１Ｈ遅延信号２０２を得る。また２０２が１Ｈ遅延装置２０Ｃに入力され２Ｈ遅延信号２０３を得る。また、２０２は１フレーム遅延装置２０Ｄに入力され１フレーム遅延信号２０４を得る。２０１、２０２、２０３がライン間ＹＣ分離装置２０Ｅに入力されライン間ＹＣ分離信号２０５を得る。また、２０２、２０４がフレーム間ＹＣ分離装置２０Ｇに入力されフレーム間ＹＣ分離信号２０７を得る。この信号は前述したようにフレームに非相関なノイズ成分が抑圧され、Ｓ／Ｎの良いＹＣ信号となっている。並行して、２０１、２０３がラインノイズ検出装置２０Ｆに入力され、ライン間のバースト信号部分を含む同期信号期間の差分の大きさを検出している。通常、バースト信号を含む同期信号期間は、その映像内容にかかわらず２ライン毎（ＰＡＬ信号は４ライン毎）に一定の信号を送信するものであり、そのライン間の差分はすべて何らかのノイズとみなすことができる。この信号には全周波数帯域のノイズが存在し、従来検出できなかった低域ノイズも検出できる。第１の実施の形態との相違は、バースト信号部分に対してもノイズ検出を行うことができ、ノイズ検出のサンプル量を増やすことが可能となり、より精度の高いノイズ検出を行うことが可能である。その差分の大きさを２０６として出力する。また、２０２、２０４はフレーム差分検出装置２０Ｈに入力され、その差分の大きさを２０８として出力する。通常、この信号の大きさにより、小さければ静止画、大きければ動画と判定され、動画の場合は２０５を、静止画の場合は２０７を選択装置２０Ｊにより選択し、出力することで動きに適応したＹＣ分離を可能にしている。しかし、２０Ｈの出力信号内には、Ｓ／Ｎが劣化した信号の場合、必ずノイズ成分を含んでおり、そのノイズが静止画と動画の判別レベルを超えるとノイズ成分のある静止画領域は動画となり、フレーム間ＹＣ分離によるＳ／Ｎ改善効果がなくなってしまう。このため、２０Ｆより得られたノイズの大きさが大きいとき２０８のレベルを小さくすることにより静止画が動画と判別されるのを防ぎ、Ｓ／Ｎ改善効果の高いＹＣ分離信号２１０を得ることができる。
【００１８】
（実施の形態３）
図１、図３、図５は本発明の第３の実施例におけるＹＣ分離装置のブロック構成図を示すものである。このように構成されたＹＣ分離装置について、以下図１、図３、図５および図６を用いてその動作を説明する。
【００１９】
図１におけるラインノイズ検出装置１０Ｆのブロック図が図３であり、動き制御装置１０Ｉの詳細ブロック図が図５である。
【００２０】
図３において、複合映像信号１０１および１０２は３０１、３０２となる。以下図３により説明する。３０１、３０２は差分検出装置３０Ａに入力され、その差分の大きさを３０４として出力する。また、水平同期信号３０３が水平同期期間パルス発生装置３０Ｆに入力され、図６のように水平同期期間に論理“１”となる出力信号３０５を出力する。３０４、３０５はゲート装置３０Ｂに入力され３０５が論理“１”のときは３０４をそのまま出力し、３０５が論理“０”の場合は値“０”を出力する。その出力信号を３０６とする。３０６は第１の比較装置３０Ｃに入力され、設定値Ｇより大きい場合は論理“１”を、小さい場合は論理“０”を出力信号３０７として出力する。これにより、水平同期期間のみのノイズを検出する。３０７は、垂直期間累積装置３０Ｄに入力され、１垂直期間その値を常に累積する。このとき垂直ブランキング期間は、同期信号が乱れやすいため、累積をストップするとさらに精度が上がる。累積した信号３０８は第２の比較装置３０Ｅに入力され設定値Ｈと比較し大きければ論理“１”、小さければ論理“０”を出力信号３０９（＝１０６）として出力する。前記出力信号３０９は図５のラインノイズ出力信号５０７として動き制御装置１０Ｉに入力される。以下、図５により説明する。入力したフレーム差分信号５０１は、コアリング装置５０Ａに入力される。また、切り替え装置５０Ｄにおいて、５０７が論理“１”のとき設定値Ａ、論理“０”のとき設定値Ｂが出力される。ここで設定値Ａ＞設定値Ｂとしておけばノイズが大きいときにコアリング量を大きくすることができ、ノイズ時に静止画になりやすくすることができる。また、切り替え装置５０Ｅにおいて、５０７が論理“１”のとき設定値Ｃ、論理“０”のとき設定値Ｄが５０４として出力される。５０３がアンプ装置５０Ｂに入力され、５０４の大きさに応じてゲインが決定され出力５０５を得るが、同様に設定値Ｃ＜設定値Ｄとしておけばノイズが大きいときにアンプゲインを小さくすることができ、ノイズ時に静止画になりやすくすることができる。また、切り替え装置５０Ｅにおいて、５０７が論理“１”のとき設定値Ｅ、論理“０”のとき設定値Ｆが５０６として出力される。５０５が比較装置５０Ｃに入力され５０６より大きいときに論理“１”、小さいときに論理“０”を５１４として出力する。このとき設定値Ｅ＞設定値Ｆとすればノイズが大きいときに論理“１”が出力されにくくなる。この出力信号５１４（図１の１０９）が切り替え装置１０Ｊに入力され、１０９の論理が“１”のとき１０５、“０”のとき１０７を出力する。これにより、ノイズ時に静止画になりやすくすることができ、Ｓ／Ｎ改善効果の高いＹＣ分離信号１１０を得ることができる。
【００２１】
（実施の形態４）
図２、図４、図５は本発明の第３の実施例におけるＹＣ分離装置のブロック構成図を示すものである。このように構成されたＹＣ分離装置について、以下図２、図４、図５および図６を用いてその動作を説明するが、ラインノイズ検出装置以外は実施の形態３と同一であるため、図４のみの動作を説明する。
【００２２】
複合映像信号４０１、２×ｎ水平期間遅延信号４０２は差分検出装置４０Ａに入力され、その差分の大きさを４０４として出力する。また、水平同期信号４０３が水平ブランキングパルス発生装置４０Ｆに入力され、図６のようにバースト信号を含む水平ブランキング期間に論理“１”となる出力信号４０５を出力する。４０４、４０５はゲート装置４０Ｂに入力され４０５が論理“１”のときは４０４をそのまま出力し、４０５が論理“０”の場合は値“０”を出力する。その出力信号を４０６とする。ここでバースト信号部についても差分をとるのは、ＮＴＳＣの場合図７に示すようにある基準ラインから２×ｎ（ＰＡＬでは４×ｎ）遅延した信号のバースト信号の位相は「正転」の関係にあり、その差分は理論的に“０”となり、ノイズ検出に影響せず、サンプル数を増加させ、ノイズ検出の精度を上げることができるためである。４０６は第１の比較装置４０Ｃに入力され、設定値Ｇより大きい場合は論理“１”を、小さい場合は論理“０”を出力信号４０７として出力する。これにより、水平同期期間のみのノイズを検出する。４０７は、垂直期間累積装置４０Ｄに入力され、１垂直期間その値を常に累積する。このとき垂直ブランキング期間は、同期信号が乱れやすいため、累積をストップするとさらに精度が上がる。累積した信号４０８は第２の比較装置４０Ｅに入力され設定値Ｊと比較し大きければ論理“１”、小さければ論理“０”を出力信号４０９（＝１０６）として出力する。前記出力信号４０９は図５のラインノイズ出力信号５０７として動き制御装置１０Ｉに入力される。
【００２３】
【発明の効果】
以上のように本発明はラインノイズ検出装置および動き制御装置を設けることにより、ビート妨害のような周波数の低いノイズが重畳されているようなＳ／Ｎの劣化した信号に対してもＳ／Ｎ改善効果の高いＹＣ分離信号を提供することができる。
【図面の簡単な説明】
【図１】本発明の第１の実施の形態におけるＹＣ分離装置のブロック構成図
【図２】本発明の第２の実施の形態におけるＹＣ分離装置のブロック構成図
【図３】本発明の第３の実施の形態におけるＹＣ分離装置のブロック構成の一部を示す図
【図４】本発明の第４の実施の形態におけるＹＣ分離装置のブロック構成の一部を示す図
【図５】本発明の第３および第４の実施の形態におけるＹＣ分離装置のブロック構成の一部を示す図
【図６】本発明の第３および第４の実施例におけるＹＣ分離装置の動作説明図
【図７】本発明の第４の実施例におけるＹＣ分離装置の動作説明図
【図８】従来のノイズ検出方法のブロック図
【符号の説明】
１０Ａ、２０Ａ  入力端子
１０Ｂ、１０Ｃ、２０Ｂ、２０Ｃ  １水平期間遅延装置
１０Ｄ、２０Ｄ  １フレーム期間遅延装置
１０Ｅ、２０Ｅ  ライン間ＹＣ分離装置
１０Ｆ、２０Ｆ  ラインノイズ検出装置
１０Ｇ、２０Ｇ  フレーム間ＹＣ分離装置
１０Ｈ、２０Ｈ  フレーム差分検出装置
１０Ｉ、２０Ｉ  動き制御装置
１０Ｊ、２０Ｊ  切替え装置
３０Ａ、４０Ａ  差分検出装置
３０Ｂ、４０Ｂ  ゲート装置
３０Ｃ，４０Ｃ  第１の比較装置
３０Ｄ、４０Ｄ  垂直期間累積装置
３０Ｅ、４０Ｅ  第２の比較装置
３０Ｆ  水平同期期間パルス発生装置
４０Ｆ  水平ブランキングパルス発生装置
【図１】
2004235714.tif 000003
【図２】
2004235714.tif 000004
【図３】
2004235714.tif 000005
【図４】
2004235714.tif 000006
【図５】
2004235714.tif 000007
【図６】
2004235714.tif 000008
【図７】
2004235714.tif 000009
【図８】
2004235714.tif 000010